(57)【特許請求の範囲】
【請求項１】
第２世代コードレス電話装置であって、データを伝送するためのデータインタフェース(Ｉ／Ｆ)をクレードルに内蔵させるとともに、ハンドセットが前記クレードル上に置かれたことを検出する検出手段と、該検出手段がハンドセット載置を検出している場合のみデータ伝送を可能とし、ハンドセット載置を検出していない場合は、電話として機能するように切り換える切換え手段と、前記検出手段がハンドセット載置を検出している場合に通電され、前記検出手段がハンドセット載置を検出していない場合に通電されないソレノイドと、前記検出手段によりハンドセット載置が検出されデータ伝送中のときには前記ソレノイドの通電によって前記ハンドセットが前記クレードルから外れないようにロックされ、前記検出手段によりハンドセット載置が検出されずデータ伝送中でないときには前記ソレノイドの非通電によって前記ロックが解除されるハンドセット保持ロック手段とを有することを特徴とするコードレス電話装置。
【請求項２】
前記ハンドセットとクレードルとを接続するクレードル側のコネクタにカバーを備え、該カバーは前記ハンドセットがクレードル上に置かれた場合にのみ露出する如く構成したことを特徴とする請求項１記載のコードレス電話装置。
【請求項３】
前記ハンドセット上面に、データ伝送中はその旨を表示する表示手段を備えたことを特徴とする請求項１または２記載のコードレス電話装置。
【発明の詳細な説明】
【０００１】
【産業上の利用分野】
本発明はコードレス電話装置に関し、特にデータ伝送を効率的に行うことが可能なコードレス電話装置に関する。
【０００２】
【従来の技術】
近年、家庭用，業務用の電話機では、ハンドセットと本体とを無線で結ぶコードレス化が進んでいる。現在、音声伝達に使用されている方式はアナログ方式であるが、他方、移動通信機能を向上させる目的で、上述のハンドセットと本体とをディジタル無線で結ぶコードレス電話装置が、いわゆる第２世代コードレス電話装置として開発されつつある。
このディジタル方式の第２世代コードレス電話装置では、ディジタル方式を採用していることから、音声だけでなく、パーソナルコンピュータ等と接続して、その中のデータをコードレス電話装置を介して伝送することが簡単に可能となるのも特徴の一つである。
【０００３】
【発明が解決しようとする課題】
データ伝送を行うためには、そのためのデータ伝送用インタフェース（Ｉ／Ｆ）（以下、「データＩ／Ｆ」という）が必要になる。しかし、このデータＩ／Ｆを従来のアナログ方式のコードレス電話装置と同様の形状の装置内に組み込むことは、ハンドセットの大型化，重量化を招くことになり、好ましくない。
更に、パーソナルコンピュータ等のデータ送出元とコードレス電話装置とは、ケーブル等で接続する必要があり、このためのコネクタ等をコードレス電話装置のハンドセット内に装備する必要があって、この点でも使い勝手が悪化する。
本発明は上記事情に鑑みてなされたもので、その目的とするところは、従来の技術における上述の如き問題を解消し、ハンドセット自体の大型化，重量化を抑制しつつ、データ伝送を効率的に行うことが可能なコードレス電話装置を提供することにある。
【０００４】
【課題を解決するための手段】
本発明の上記目的は、第２世代コードレス電話装置であって、データを伝送するためのデータＩ／Ｆをクレードルに内蔵させるとともに、ハンドセットが前記クレードル上に置かれたことを検出する検出手段と、該検出手段がハンドセット載置を検出している場合のみデータ伝送を可能とし、ハンドセット載置を検出していない場合は、電話として機能するように切り換える切換え手段と、前記検出手段がハンドセット載置を検出している場合に通電され、前記検出手段がハンドセット載置を検出していない場合に通電されないソレノイドと、前記検出手段によりハンドセット載置が検出されデータ伝送中のときには前記ソレノイドの通電によって前記ハンドセットが前記クレードルから外れないようにロックされ、前記検出手段によりハンドセット載置が検出されずデータ伝送中でないときには前記ソレノイドの非通電によって前記ロックが解除されるハンドセット保持ロック手段とを有することを特徴とするコードレス電話装置（請求項１）、また、前記ハンドセットとクレードルとを接続するクレードル側のコネクタにカバーを備え、該カバーは前記ハンドセットがクレードル上に置かれた場合にのみ露出する如く構成したことを特徴とするコードレス電話装置（請求項２）、さらに、前記ハンドセット上面に、データ伝送中はその旨を表示する表示手段を備えたことを特徴とするコードレス電話装置（請求項３）によって達成される。
【０００５】
【作用】
本発明に係るコードレス電話装置においては、データ伝送を行うときには、電話機としては機能する必要がないことを利用して、データＩ／Ｆをクレードルに内蔵させるとともに、ハンドセットが前記クレードル上に置かれたことを検出する手段と、該検出手段がハンドセット載置を検出している場合のみデータ伝送を可能とし、ハンドセット載置を検出していない場合は、電話として機能する電話として機能するように切り換える切換え手段と、前記検出手段がハンドセット載置を検出している場合に通電され、前記検出手段がハンドセット載置を検出していない場合に通電されないソレノイドと、前記検出手段によりハンドセット載置が検出されデータ伝送中のときには前記ソレノイドの通電によって前記ハンドセットが前記クレードルから外れないようにロックされ、前記検出手段によりハンドセット載置が検出されずデータ伝送中でないときには前記ソレノイドの非通電によって前記ロックが解除されるハンドセット保持ロック手段とを有することにより、電話機として使用する際の小型，軽量という特徴を損なうことなく、データ伝送をも可能とし、さらにデータ伝送中に誤ってハンドセットをクレードルから外してしまい、データ伝送エラーを惹き起こすという問題を防止することが可能になる。
また、請求項２に記載した如く、ハンドセットとクレードルとを接続するクレードル側のコネクタにカバーを設けることにより、コネクタを保護し、信頼性を高めることができる。更に、請求項３に記載した如く、ハンドセットにデータ伝送中にその旨を表示するように構成することも有効である。
【０００６】
【実施例】
以下、本発明の実施例を図面に基づいて詳細に説明する。
図２に、本発明の一実施例に係るコードレス電話装置の概略構成図を示す。図中、１は例えば、ＰＳＴＮ回線等の公衆回線、２はコードレス電話装置の親機、２ａはその無線アンテナ、３は子機のハンドセット、３ａはその無線アンテナ、４はハンドセット３を保持するクレードルを示している。
本実施例に係るコードレス電話装置の親機２，ハンドセット３，クレードル４は、いわゆる第２世代コードレス電話装置の基本構成として標準化されている構成を有し、基本的な機能としては特に変わった点はない。
すなわち、子機は通話を行うためのハンドセット３と、該ハンドセット３を保持するとともに充電を行うクレードル４から成り、親機２にはモジュラーを介してＰＳＴＮ回線等の公衆回線１が接続されており、子機との間でディジタル無線通話を行うことが可能に構成されている。
【０００７】
本実施例に係るコードレス電話装置の構成上の特徴は、以下の点にある。すなわち、上述のクレードル４には、データＩ／Ｆが内蔵されており、このデータＩ／Ｆを介して、図３に示す如く、子機と親機間あるいは子機間相互において、ＲＳ２３２ＣやセントロニクスＩ／Ｆで、パーソナルコンピュータ（ＰＣ）等のデータ送出元とレーザプリンタ（ＬＰ）等のデータ出力部間におけるプリントデータ伝送（ファイル伝送）や、パーソナルコンピュータ（ＰＣ）相互間のデータ伝送を無線で行うことが可能である点である。
図１は、本実施例に係るコードレス電話装置のうち、子機側の内部構成の詳細を示すブロック図である。ハンドセット３の中には、公知の高周波部３１，モデム部３２，ＴＤＭＡ部３３，ＡＤＰＣＭ部３４，これらを制御するシステム制御部３５等があり、マイクロフォン（ＭＩＣ）３６ａから入力される音声をディジタル信号に変換して、電波にのせて通信を行う如く構成されている。
【０００８】
３７はハンドセット３がクレードル４上に載置されているときに、クレードル４の充電器部４１との間で接続される、充電可能な電池を示している。また、３８はデータを伝送するために必要となるクレードル４内のデータＩ／Ｆ４２との接続を行うためのデータ接続部である。
このデータＩ／Ｆ４２は、通常は、ハンドセット３内部の回路の一部として動作するものである。しかし、このデータＩ／Ｆ４２が通常の通話を行うときには必要でないことに鑑み、本実施例に係るコードレス電話装置においては、これをクレードル４に内蔵させ、ハンドセット３側には接続部３８のみを設けて、ハンドセット３をクレードル４上に載置したときにのみ両者が接続され、動作するように構成したものである。
すなわち、ハンドセット３をクレードル４上に載置したときには、接続コネクタにより両者が接続され、通話のためにハンドセット３をクレードル４から持ち上げたときには、データＩ／Ｆ４２はハンドセット３から切り離される。
【０００９】
なお、４３はパーソナルコンピュータ（ＰＣ）等のデータ送出元との接続ケーブルを接続するコネクタを示している。
上述の如き構成とすることにより、ハンドセット３の内部回路を通話に必要な回路のみとすることが可能になり、構成が簡単になって、ハンドセット３の大型化，重量化を防止することができる。
先に示した図３に基づいて、データ伝送の具体的な説明を行う。
パーソナルコンピュータ（ＰＣ）等のデータ送出元とレーザプリンタ（ＬＰ）等のデータ出力部間を結ぶケーブルの代わりに無線機を使用した無線プリンタＩ／Ｆが、４００ＭＨｚ帯を利用した特定小電力タイプで商品化されている。
この商品は、現在のところアナログ方式であるが、ＲＳ２３２Ｃ方式，セントロニクス方式のＩ／Ｆを無線化して接続することで、本実施例に係るコードレス電話装置を実現し、プリントデータ伝送（ファイル伝送）や、パーソナルコンピュータ（ＰＣ）相互間のデータ伝送を無線で行うことが可能になる。
【００１０】
次に、より具体的な構成を説明する。
図４に、クレードル４上にハンドセット３が載置されているか否かを検出する機構（図１中の４４参照）を示した。ここでは、クレードル４上にハンドセット３が載置されているか否かを検知するためのフック検出レバー５１と、通常はオフであるが上述のフック検出レバー５１が押込まれたときにオフとなるマイクロスイッチ５２を配設している。すなわち、クレードル４上にハンドセット３が載置されているときには（オンクレードル）マイクロスイッチ５２がオフ、ハンドセット３が外されたときにはマイクロスイッチ５２がオンとなる。
図５に、上述のマイクロスイッチ５２の動作に基づく動作を示す。この動作では、クレードル４上のハンドセット３の有無をマイクロスイッチ５２により検知して、セントロニクスＩ／Ｆのセレクト信号をオン／オフする。
【００１１】
すなわち、クレードル４上のハンドセット３の有無をマイクロスイッチ５２により検知（ステップ６１，６２）すると、オンクレードルであれば上記セントロニクスＩ／Ｆのセレクト信号をオンする（ステップ６４）。また、オフクレードルであれば上記セントロニクスＩ／Ｆのセレクト信号をオフし、電話機としての使用を可能とする（ステップ６３）。
上述の如き構成および動作とすることにより、ハンドセット３がクレードル４から外されているときには、端末へセントロニクスＩ／Ｆのセレクト信号をオフし、動作させないようにすることができる。また、電話機として使用するときにはハンドセット３を必ず必要とするので、ハンドセット３が持ち上げられたときには電話機として使用できるように制御するという訳である。
【００１２】
次に、ハンドセット３のロック機構について、図６に基づいて説明する。図６に示した例では、クレードル４内に、ソレノイド７１と、該ソレノイド７１の作動杆に取付けられた円錐台形の作動片７２と、該作動片７２に当接しており、スプリング７３ａ，７３ｂにより上記作動片７２方向に付勢されているリンク棒７４ａ，７４ｂから構成されるロック機構を備えている。なお、上記ソレノイド７１は、通電されてその作動杆が図中の上方に移動する如く構成されているものである。
このロック機構の動作は以下の通りである。まず、通常時、すなわち、データ伝送中でないときには、ソレノイド７１は通電されておらず、その作動杆は図示されていないスプリングの力で、図中の下方に位置しており、この状態では、２本のリンク棒７４ａ，７４ｂは、スプリング７３ａ，７３ｂの力により作動片７２方向に移動して、ハンドセットのロックを解除した状態になっている。
【００１３】
これに対して、データ伝送中は、上記ソレノイド７１は通電されて、その作動杆は図示されていないスプリングの力に抗して図中の上方に移動する。この状態では、２本のリンク棒７４ａ，７４ｂは、スプリング７３ａ，７３ｂの力に抗して移動し、ハンドセットをロックする状態になる（図６に示す状態）。
上述の如き構成および動作とすることにより、データ伝送中においては、ハンドセット３がクレードル４に載置された状態でロックされ、ハンドセット３が不用意にクレードル４から外されることがないようにすることができる。また、データ伝送中でないときは、電話機として使用するため等に、ハンドセット３をクレードル４から簡単に外すことができる。
つまり、ハンドセット３はデータ伝送中にのみ、クレードル４に固定（ロック）されるようにすることができるという訳である。
【００１４】
なお、従来のパーソナルコンピュータ等のデータ送出元とコードレス電話装置とはケーブル等で接続する必要があり、このためのコネクタ等をコードレス電話装置のハンドセット内に装備する必要があり、使い勝手が悪かった点も、本実施例に係るコードレス電話装置により、合わせて改善される。
次に、請求項２に記載のハンドセット３とクレードル４とを接続するクレードル４側のコネクタのカバーについて、図７に基づいて説明する。図７に示した例では、クレードル４内に、図４に示したフック検出レバー５１に連動するスライド蓋８１を設けており、ハンドセット３がクレードル４上に載置される際に、ハンドセット３の凸部（送話部等）が上述のフック検出レバー５１を矢印Ａ方向に回動させ、これに連動する形で上述のスライド蓋８１が、それまで覆っていたクレードル４上の接続端子群８２を露出させる方向に移動する。これにより、クレードル４上に載置されるハンドセット３の端子群３ｂと、クレードル４上の接続端子群８２とが接続され、信号の授受が可能になる。
【００１５】
上述の如き構成および動作とすることにより、ハンドセット３がクレードル４から外されているときには、上述のスライド蓋８１によりクレードル４上の接続端子群を保護することが可能となり、信頼性の向上に効果がある。
最後に、請求項３に記載のハンドセット３の表示部について、図８に基づいて説明する。図８に示した例では、ハンドセット３の、これをクレードル４上に載置したときの上面になる面に、電源の表示，通信中を示す表示，エラーを示す表示等のＬＥＤ表示部９１に加えて、ＬＣＤ表示部９２を設け、ここにデータ伝送中である旨を表示するように構成している。これにより、ハンドセット３を使用とする際に、まず、クレードル４上に載置されているハンドセット３のＬＣＤ表示部９１を見れば、データ伝送中であるか否か、すなわち、ハンドセット３を用いての通話が可能か否かがわかる。なお、上記実施例は本発明の一例を示したものであり、本発明はこれに限定されるべきものではないことは言うまでもないことである。
【００１６】
【発明の効果】
以上、詳細に説明した如く、本発明によれば、ハンドセット自体の大型化，重量化を抑制しつつ、データ伝送を効率的に行うことが可能なコードレス電話装置を実現できるという顕著な効果を奏するものである。
例えば、本発明に係るコードレス電話装置は、事務所内等において、無線通信データ伝送システムを構築することに限らず、これをいわゆるＰＨＰ（ＰｅｒｓｏｎａｌＨａｎｄｙ  Ｐｈｏｎｅ）として用いて、移動通信システムに利用することが可能であり、ＰＳＴＮ回線のみならず、他の回線に接続してより高度なシステムを構築することも可能である。
また、前述の如く、従来のパーソナルコンピュータ等のデータ送出元とコードレス電話装置とはケーブル等で接続する必要があり、このためのコネクタ等をコードレス電話装置のハンドセット内に装備する必要があり、使い勝手が悪かった点も合わせて改善される。
【図面の簡単な説明】
【図１】本発明の一実施例に係るコードレス電話装置のうち、子機側の内部構成の詳細を示すブロック図である。
【図２】実施例に係るコードレス電話装置の概略構成図である。
【図３】実施例に係るコードレス電話装置を用いたデータ伝送システムの具体例を示す図である。
【図４】クレードル上にハンドセットが載置されているか否かを検出する機構を示す図である。
【図５】図４に示した機構の動作を説明するフローチャートである。
【図６】クレードル上にハンドセットをロックする機構を示す図である。
【図７】クレードル上の接続端子群を保護するカバーの移動機構を示す図である。
【図８】ハンドセット上の表示部の例を示す図である。
【符号の説明】
１  ＰＳＴＮ回線等の公衆回線
２  コードレス電話装置の親機
２ａ  親機の無線アンテナ
３  子機のハンドセット
３ａ  ハンドセットの無線アンテナ
３ｂ  ハンドセット上の接続端子群
４  クレードル
５１  フック検出レバー
５２  マイクロスイッチ
７１  ソレノイド
７２  作動片
７４ａ，７４ｂ  リンク棒
８１  スライド蓋
８２  クレードル上の接続端子群
９１  ＬＥＤ表示部
９２  ＬＣＤ表示部
【図１】
0003620057.tif 000002
【図２】
0003620057.tif 000003
【図３】
0003620057.tif 000004
【図４】
0003620057.tif 000005
【図５】
0003620057.tif 000006
【図６】
0003620057.tif 000007
【図７】
0003620057.tif 000008
【図８】
0003620057.tif 000009